【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
エッジコンピューティングデバイスで、第１のスモールセル中のモバイルデバイスのためのデータを受信することと、
前記エッジコンピューティングデバイスで、前記モバイルデバイスの処理能力および処理可用性に少なくとも基づいて、前記エッジコンピューティングデバイスのコンピューティングリソースと、前記モバイルデバイスのコンピューティングリソースとの間で前記受信データの処理を分散させることと、ここにおいて、前記エッジコンピューティングデバイスが、前記第１のスモールセルの第１の基地局または前記第１のスモールセルと通信している隣接する第２のスモールセルの第２の基地局とコロケートされる、
を備える、方法。
【請求項２】
前記モバイルデバイスと前記第１の基地局との間の無線リンクの品質を決定することと、
前記無線リンクの前記品質に少なくとも部分的に基づいて前記エッジコンピューティングデバイスにおいて前記受信データを解凍することと、
前記モバイルデバイスに前記解凍データを送信することと
をさらに備える、請求項１に記載の方法。
【請求項３】
前記データの複数のバージョンをダウンロードすることと、
前記モバイルデバイスと前記第１の基地局との間の通信のために使用される無線リンクの状態または前記モバイルデバイスの動作コンテキストに少なくとも部分的に基づいて前記モバイルデバイスに送信するために前記データの前記複数のバージョンのうちの第１のバージョンを選択することと
をさらに備える、請求項１に記載の方法。
【請求項４】
前記動作コンテキストが、ユーザ選好、前記モバイルデバイスの電力状態、または時刻のうちの少なくとも１つを備える、請求項３に記載の方法。
【請求項５】
前記モバイルデバイスと前記第１の基地局との間の通信のために使用される無線リンクの状態を観測することと、
前記無線リンクの前記状態に少なくとも部分的に基づいて前記モバイルデバイスの前記コンピューティングリソースと前記エッジコンピューティングデバイスの前記コンピューティングリソースとの間の処理分散を割当てることと
をさらに備える、請求項１に記載の方法。
【請求項６】
前記エッジコンピューティングデバイスにおいて、前記モバイルデバイスの動作コンテキストの表示を受信することと、
前記表示に少なくとも部分的に基づいて前記モバイルデバイスの前記コンピューティングリソースと前記エッジコンピューティングデバイスの前記コンピューティングリソースとの間の処理分散を割当てることと
をさらに備える、請求項１に記載の方法。
【請求項７】
前記モバイルデバイスの前記動作コンテキストに関連するしきい値に対する前記表示を比較すること、ここにおいて、前記しきい値が、処理可用性しきい値、電力可用性しきい値、または温度しきい値である、
をさらに備える、請求項６に記載の方法。
【請求項８】
前記モバイルデバイスから処理能力報告を受信することと、
前記処理能力報告に少なくとも部分的に基づいて前記データを処理することと
をさらに備える、請求項１に記載の方法。
【請求項９】
前記受信データがビデオデータを備え、前記方法が、
前記モバイルデバイスと前記第１の基地局との間の無線リンクの品質を決定することと、
前記無線リンクの前記品質に少なくとも部分的に基づいて前記ビデオデータをレンダリングすることと、
前記モバイルデバイス上での表示のために前記モバイルデバイスに前記レンダリングされたビデオデータを送信することと
をさらに備える、請求項１に記載の方法。
【請求項１０】
前記受信データがオーディオデータを備え、前記方法が、
前記モバイルデバイスと前記第１の基地局との間の無線リンクの品質を決定することと、
前記モバイルデバイスへの送信のためのオーディオデータを解凍することと、前記解凍することが、前記無線リンクの前記品質に少なくとも部分的に基づく、
前記モバイルデバイス上での再生のために前記モバイルデバイスに前記解凍されたオーディオデータを送信することと
をさらに備える、請求項１に記載の方法。
【請求項１１】
エッジコンピューティングデバイスでのワイヤレスデバイスにおけるワイヤレス通信のための装置であって、
第１のスモールセル中のモバイルデバイスのためのデータを受信するための手段と、
前記エッジコンピューティングデバイスで、前記モバイルデバイスの処理能力および処理可用性に少なくとも基づいて、前記エッジコンピューティングデバイスのコンピューティングリソースと、前記モバイルデバイスのコンピューティングリソースとの間で前記受信データの処理を分散させるための手段と、ここにおいて、前記エッジコンピューティングデバイスが、前記第１のスモールセルの第１の基地局または前記第１のスモールセルと通信している隣接する第２のスモールセルの第２の基地局とコロケートされる、
を備える、装置。
【請求項１２】
前記第１の基地局のワイヤレス通信リソースが、第１のモジュール中に格納され、
前記エッジコンピューティングデバイスが、前記第１のモジュールと通信しており、それとコロケートされた第２のモジュール中に格納される、請求項１１に記載の装置。
【請求項１３】
前記第１のスモールセルが、第１のピコセル、第１のフェムトセル、第１のマイクロセル、または第１のＷｉ−Ｆｉアクセスポイントのうちの１つであり、
前記第２のスモールセルが、第２のピコセル、第２のフェムトセル、第２のマイクロセル、または第２のＷｉ−Ｆｉアクセスポイントのうちの１つである、請求項１１に記載の装置。
【請求項１４】
前記第１のスモールセルが、ワイヤレスワイドエリアネットワーク（ＷＷＡＮ）トランシーバとワイヤレスローカルエリアネットワーク（ＷＬＡＮ）トランシーバとを備える、請求項１１記載の装置。
【請求項１５】
エッジコンピューティングデバイスでのワイヤレスデバイスにおける通信のためのコードを記憶する非一時的コンピュータ可読媒体であって、前記コードが、請求項１乃至１０のいずれか１項の前記ステップを行うように実行可能な命令を備える、非一時的コンピュータ可読媒体。
【手続補正２】
【補正対象書類名】明細書
【補正対象項目名】０１０５
【補正方法】変更
【補正の内容】
【０１０５】
[0117]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用されることができる。したがって、本開示は、本明細書で説明した例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレス通信のための方法であって、
第１のスモールセル中のモバイルデバイスのためのデータを受信することと、
前記モバイルデバイスのコンピューティングリソースとエッジコンピューティングデバイスのコンピューティングリソースとの間で前記受信データの処理を分散させることと、ここにおいて、前記エッジコンピューティングデバイスが、前記第１のスモールセルの第１の基地局または前記第１のスモールセルと通信している隣接する第２のスモールセルの第２の基地局とコロケートされる、
を備える、方法。
［Ｃ２］
前記モバイルデバイスと前記第１の基地局との間の無線リンクの品質を決定することと、
前記無線リンクの前記品質に少なくとも部分的に基づいて前記エッジコンピューティングデバイスにおいて前記受信データを解凍することと、
前記モバイルデバイスに前記解凍データを送信することと
をさらに備える、［Ｃ１］に記載の方法。
［Ｃ３］
前記データの複数のバージョンをダウンロードすることと、
前記モバイルデバイスと前記第１の基地局との間の通信のために使用される無線リンクの状態または前記モバイルデバイスの動作コンテキストに少なくとも部分的に基づいて前記モバイルデバイスに送信するために前記データの前記複数のバージョンのうちの第１のバージョンを選択することと
をさらに備える、［Ｃ１］に記載の方法。
［Ｃ４］
前記動作コンテキストが、ユーザ選好、前記モバイルデバイスの電力状態、前記モバイルデバイスの処理ヘッドルーム、前記モバイルデバイスの処理能力、または時刻のうちの少なくとも１つを備える、［Ｃ３］に記載の方法。
［Ｃ５］
前記モバイルデバイスと前記第１の基地局との間の通信のために使用される無線リンクの状態を観測することと、
前記無線リンクの前記状態に少なくとも部分的に基づいて前記モバイルデバイスの前記コンピューティングリソースと前記エッジコンピューティングデバイスの前記コンピューティングリソースとの間の処理分散を割当てることと
をさらに備える、［Ｃ１］に記載の方法。
［Ｃ６］
前記エッジコンピューティングデバイスにおいて、前記モバイルデバイスの動作コンテキストの表示を受信することと、
前記表示に少なくとも部分的に基づいて前記モバイルデバイスの前記コンピューティングリソースと前記エッジコンピューティングデバイスの前記コンピューティングリソースとの間の処理分散を割当てることと
をさらに備える、［Ｃ１］に記載の方法。
［Ｃ７］
前記モバイルデバイスの前記動作コンテキストに関連するしきい値に対する前記表示を比較すること、ここにおいて、前記しきい値が、処理可用性しきい値、電力可用性しきい値、または温度しきい値である、
をさらに備える、［Ｃ６］に記載の方法。
［Ｃ８］
前記モバイルデバイスから処理能力報告を受信することと、
前記処理能力報告に少なくとも部分的に基づいて前記データを処理することと
をさらに備える、［Ｃ１］に記載の方法。
［Ｃ９］
前記受信データがビデオデータを備え、前記方法が、
前記モバイルデバイスと前記第１の基地局との間の無線リンクの品質を決定することと、
前記無線リンクの前記品質に少なくとも部分的に基づいて前記ビデオデータをレンダリングすることと、
前記モバイルデバイス上での表示のために前記モバイルデバイスに前記レンダリングされたビデオデータを送信することと
をさらに備える、［Ｃ１］に記載の方法。
［Ｃ１０］
前記受信データがオーディオデータを備え、前記方法が、
前記モバイルデバイスと前記第１の基地局との間の無線リンクの品質を決定することと、
前記モバイルデバイスへの送信のためのオーディオデータを解凍することと、前記解凍することが、前記無線リンクの前記品質に少なくとも部分的に基づく、
前記モバイルデバイス上での再生のために前記モバイルデバイスに前記解凍されたオーディオデータを送信することと
をさらに備える、［Ｃ１］に記載の方法。
［Ｃ１１］
前記第１の基地局のワイヤレス通信リソースが、第１のモジュール中に格納され、
前記エッジコンピューティングデバイスが、前記第１のモジュールと通信しており、それとコロケートされた第２のモジュール中に格納される、［Ｃ１］に記載の方法。
［Ｃ１２］
前記第１のスモールセルが、第１のピコセル、第１のフェムトセル、第１のマイクロセル、または第１のＷｉ−Ｆｉアクセスポイントのうちの１つであり、
前記第２のスモールセルが、第２のピコセル、第２のフェムトセル、第２のマイクロセル、または第２のＷｉ−Ｆｉアクセスポイントのうちの１つである、［Ｃ１］に記載の方法。
［Ｃ１３］
前記第１のスモールセルが、ワイヤレスワイドエリアネットワーク（ＷＷＡＮ）トランシーバとワイヤレスローカルエリアネットワーク（ＷＬＡＮ）トランシーバとを備える、［Ｃ１］に記載の方法。
［Ｃ１４］
ワイヤレスデバイスにおけるワイヤレス通信のための装置であって、
第１のスモールセル中のモバイルデバイスのためのデータを受信するための手段と、  前記モバイルデバイスのコンピューティングリソースとエッジコンピューティングデバイスのコンピューティングリソースとの間で前記受信データの処理を分散させるための手段と、ここにおいて、前記エッジコンピューティングデバイスが、前記第１のスモールセルの第１の基地局または前記第１のスモールセルと通信している隣接する第２のスモールセルの第２の基地局とコロケートされる、  を備える、装置。
［Ｃ１５］
前記モバイルデバイスと前記第１の基地局との間の無線リンクの品質を決定するための手段と、
前記無線リンクの前記品質に少なくとも部分的に基づいて前記エッジコンピューティングデバイスにおいて前記受信データを解凍するための手段と、
前記モバイルデバイスに前記解凍データを送信するための手段と
をさらに備える、［Ｃ１４］に記載の装置。
［Ｃ１６］
前記データの複数のバージョンをダウンロードするための手段と、
前記モバイルデバイスと前記第１の基地局との間の通信のために使用される無線リンクの状態または前記モバイルデバイスの動作コンテキストに少なくとも部分的に基づいて前記モバイルデバイスに送信するために前記データの前記複数のバージョンのうちの第１のバージョンを選択するための手段と
をさらに備える、［Ｃ１４］に記載の装置。
［Ｃ１７］
前記動作コンテキストが、ユーザ選好、前記モバイルデバイスの電力状態、前記モバイルデバイスの処理ヘッドルーム、前記モバイルデバイスの処理能力、または時刻のうちの少なくとも１つを備える、［Ｃ１６］に記載の装置。
［Ｃ１８］
前記モバイルデバイスと前記第１の基地局との間の通信のために使用される無線リンクの状態を観測するための手段と、
前記無線リンクの前記状態に少なくとも部分的に基づいて前記モバイルデバイスの前記コンピューティングリソースと前記エッジコンピューティングデバイスの前記コンピューティングリソースとの間の処理分散を割当てるための手段と
をさらに備える、［Ｃ１４］に記載の装置。
［Ｃ１９］
前記エッジコンピューティングデバイスにおいて、前記モバイルデバイスの動作コンテキストの表示を受信するための手段と、
前記表示に少なくとも部分的に基づいて前記モバイルデバイスの前記コンピューティングリソースと前記エッジコンピューティングデバイスの前記コンピューティングリソースとの間の処理分散を割当てるための手段と
をさらに備える、［Ｃ１４］に記載の装置。
［Ｃ２０］
前記モバイルデバイスの前記動作コンテキストに関連するしきい値に対する前記指示を比較するための手段、ここにおいて、前記しきい値が、処理可用性しきい値、電力可用性しきい値、または温度しきい値である、
をさらに備える、［Ｃ１９］に記載の装置。
［Ｃ２１］
前記モバイルデバイスから処理能力報告を受信するための手段と、
前記処理能力報告に少なくとも部分的に基づいて前記データを処理するための手段と  をさらに備える、［Ｃ１４］に記載の装置。
［Ｃ２２］
前記モバイルデバイスと前記第１の基地局との間の無線リンクの品質を決定するための手段と、
前記無線リンクの前記品質に少なくとも部分的に基づいてビデオデータをレンダリングするための手段と、
前記モバイルデバイス上での表示のために前記モバイルデバイスに前記レンダリングされたビデオデータを送信するための手段と
をさらに備える、［Ｃ１４］に記載の装置。
［Ｃ２３］
前記モバイルデバイスと前記第１の基地局との間の無線リンクの品質を決定するための手段と、
前記モバイルデバイスへの送信のためのオーディオデータを解凍するための手段と、前記解凍することが、前記無線リンクの前記品質に少なくとも部分的に基づく、
前記モバイルデバイス上での再生のために前記モバイルデバイスに前記解凍されたオーディオデータを送信するための手段と
をさらに備える、［Ｃ１４］に記載の装置。
［Ｃ２４］
前記第１の基地局のワイヤレス通信リソースが、第１のモジュール中に格納され、
前記エッジコンピューティングデバイスが、前記第１のモジュールと通信しており、それとコロケートされた第２のモジュール中に格納される、［Ｃ１４］に記載の装置。
［Ｃ２５］
前記第１のスモールセルが、第１のピコセル、第１のフェムトセル、第１のマイクロセル、または第１のＷｉ−Ｆｉアクセスポイントのうちの１つであり、
前記第２のスモールセルが、第２のピコセル、第２のフェムトセル、第２のマイクロセル、または第２のＷｉ−Ｆｉアクセスポイントのうちの１つである、［Ｃ１４］に記載の装置。
［Ｃ２６］
前記第１のスモールセルが、ワイヤレスワイドエリアネットワーク（ＷＷＡＮ）トランシーバとワイヤレスローカルエリアネットワーク（ＷＬＡＮ）トランシーバとを備える、［Ｃ１４］に記載の装置。
［Ｃ２７］
ワイヤレスデバイスにおける通信のための装置であって、
プロセッサと、
前記プロセッサと電子通信しているメモリと、
前記メモリ中に記憶された命令と、ここにおいて、前記命令が、前記プロセッサによって、
第１のスモールセル中のモバイルデバイスのためのデータを受信することと、
前記モバイルデバイスのコンピューティングリソースとエッジコンピューティングデバイスのコンピューティングリソースとの間で前記受信データの処理を分散させることと、ここにおいて、前記エッジコンピューティングデバイスが、前記第１のスモールセルの第１の基地局または前記第１のスモールセルと通信している隣接する第２のスモールセルの第２の基地局とコロケートされる、
を行うように実行可能である、
を備える、装置。
［Ｃ２８］
前記命令が、前記プロセッサによって、
前記モバイルデバイスと前記第１の基地局との間の無線リンクの品質を決定することと、
前記無線リンクの前記品質に少なくとも部分的に基づいて前記エッジコンピューティングデバイスにおいて前記受信データを解凍することと、
前記モバイルデバイスに前記解凍データを送信することと
を行うように実行可能である、［Ｃ２７］に記載の装置。
［Ｃ２９］
前記命令が、前記プロセッサによって、
前記モバイルデバイスと前記第１の基地局との間の通信のために使用される無線リンクの状態を観測することと、
前記無線リンクの前記状態に少なくとも部分的に基づいて前記モバイルデバイスの前記コンピューティングリソースと前記エッジコンピューティングデバイスの前記コンピューティングリソースとの間の処理分散を割当てることと
を行うように実行可能である、［Ｃ２７］に記載の装置。
［Ｃ３０］
ワイヤレスデバイスにおける通信のためのコードを記憶する非一時的コンピュータ可読媒体であって、前記コードが、
第１のスモールセル中のモバイルデバイスのためのデータを受信することと、
前記モバイルデバイスのコンピューティングリソースとエッジコンピューティングデバイスのコンピューティングリソースとの間で前記受信データの処理を分散させることと、ここにおいて、前記エッジコンピューティングデバイスが、前記第１のスモールセルの第１の基地局または前記第１のスモールセルと通信している隣接する第２のスモールセルの第２の基地局とコロケートされる、
を行うように実行可能な命令を備える、非一時的コンピュータ可読媒体。